(57)【特許請求の範囲】
【請求項１】
スリーブ指向式ホワイトバランスフィルターにおいて、外筒体と該外筒体内に設けられて軸方向移動調整可能なホワイトバランス部品で構成されたホワイトバランスユニットを具え、該外筒体は不透光材料で形成されて直接レンズに嵌合されるか、嵌め歯によりレンズ前端の嵌め溝に組み合わされてレンズ前方に組み合わされ、該ホワイトバランス部品は乳白色或いは灰色フィルターで、フィルター周縁に乳白色或いは灰色の環縁部が延伸され、該ホワイトバランス部品は前述の外筒体内に進入可能で、並びに外筒体内で軸方向の移動調整でき、ホワイトバランス部品がそのフィルターを環縁部も含め完全に外筒体内に進入させられるとき、ホワイトバランス部品のフィルターは不透光の外筒体内に置かれ、外筒体の遮蔽作用により、ホワイトバランス部品のフィルターは手動ホワイトバランスされる時、不必要な強烈な強烈光線或いは反射光が直接フィルターに照射されるのを防止し、カメラの手動ホワイトバランスシステムに撮影エリアの正確なホワイトバランス平均値を測定させることを特徴とする、スリーブ指向式ホワイトバランスフィルター。
【請求項２】
請求項１記載のスリーブ指向式ホワイトバランスフィルターにおいて、フィルター中央にレンズのフォーカス動作を助けるのに用いられるターゲット式六星剣頭状の突出物が設けられることを特徴とする、スリーブ指向式ホワイトバランスフィルター。
【請求項３】
請求項１記載のスリーブ指向式ホワイトバランスフィルターにおいて、フィルター後方及び外筒体内孔口部分に、それぞれ相互に対応するストッパ縁が設けられ、フィルターが滑り落ちにくくされたことを特徴とする、スリーブ指向式ホワイトバランスフィルター。
【請求項４】
請求項１記載のスリーブ指向式ホワイトバランスフィルターにおいて、外筒体内孔に乳白色或いは灰色のフィルターのみが設けられ、フィルターが僅かにビューウインドウから見えるフィールド範囲内の色光のみを受け取るものとされて、正確なホワイトバランス数値を得ることを特徴とする、スリーブ指向式ホワイトバランスフィルター。
【請求項５】
スリーブ指向式ホワイトバランスフィルターにおいて、収縮可能な外筒体と収縮可能な外筒体の前端に設けられるホワイトバランス部品を具え、該収縮可能な外筒体は、少なくとも一つの、内径が漸次縮小する嵌合スリーブが相互に嵌合されてなり、収縮可能な外筒体は不透光材料で形成され、直接カメラレンズに嵌合可能で或いは、嵌め歯でレンズ前端の嵌め溝に組み合わされてレンズ前方に組み合わされ、そのうち、ホワイトバランス部品は乳白色或いは灰色フィルターとされ、並びにフィルターの周縁に乳白色或いは灰色を呈する環縁部が形成され、ホワイトバランス部品は該収縮可能な外筒体の前端に組み合わされ、これによりホワイトバランス部品が該収縮可能な外筒体と収縮或いは引き伸ばし可能とされて、収納携帯に便利とされ、各一つのスリーブの内孔の前後縁及びフィルターの前後端外縁に、それぞれストッパ縁が設けられて、相互に係止して離脱防止されたことを特徴とする、スリーブ指向式ホワイトバランスフィルター。
【請求項６】
請求項１記載のスリーブ指向式ホワイトバランスフィルターにおいて、該外筒体及び環縁部を具えたフィルターで構成されたホワイトバランスユニットが、カメラ、スマートフォン及びタブレットＰＣのカメラレンズ前に置かれるか固定部品で設置され、カメラ、スマートフォン及びタブレットＰＣが撮影時にホワイトバランス部品のフィルターにより手動ホワイトバランスを行なうとき、不必要な強烈光線或いは反射光が直接フィルターに照射されるのを防止し、カメラ、スマートフォン及びタブレットＰＣの手動ホワイトバランスシステムに、撮影エリアの正確なホワイトバランス平均値を測定させることを特徴とする、スリーブ指向式ホワイトバランスフィルター。
【請求項７】
外筒体と該外筒体内に設けられて軸方向移動調整可能なホワイトバランス部品で構成されたホワイトバランスユニットを具え、該外筒体は不透光材料で形成され、該ホワイトバランス部品は乳白色或いは灰色フィルターで、フィルター周縁に乳白色或いは灰色の環縁部が延伸され、該ホワイトバランス部品は前述の外筒体内に進入可能で、並びに外筒体内で軸方向の移動調整でき、ホワイトバランス部品がそのフィルターを環縁部も含め完全に外筒体内に進入させられるとき、ホワイトバランス部品のフィルターは不透光の外筒体内に置かれ、外筒体の遮蔽作用により、ホワイトバランス部品のフィルターは手動ホワイトバランスされる時、不必要な強烈な強烈光線或いは反射光が直接フィルターに照射されるのを防止し、カメラの手動ホワイトバランスシステムに撮影エリアの正確なホワイトバランス平均値を測定させるスリーブ指向式ホワイトバランスフィルターにおいて、
分離式ホワイトバランス色温度測定装置をさらに具え、該分離式ホワイトバランス色温度測定装置は、ケーシング内に色温度検出部品が設けられ、並びにケーシング上に電源及び信号伝送用のピンが設けられ、該ピンによりカメラのボデー或いはレンズ、及び、カメラ、スマートフォン及びタブレットＰＣのピン孔に挿入され、組み合わされ、該外筒体及び環縁部を具えたフィルターで構成されたホワイトバランスユニットが、該分離式ホワイトバランス色温度測定装置の前方に置かれ、撮影時にホワイトバランス部品のフィルターにより手動ホワイトバランスをおこなう時、不必要な強烈光線或いは反射光が直接フィルターに照射するのを防止でき、並びに色温度検出部品により、該色温度を受け取り、カメラのボデー或いはレンズ及びカメラ、スマートフォン及びタブレットＰＣの手動ホワイトバランスシステムが、正確なホワイトバランス平均値を測定できるようにすることを特徴とする、スリーブ指向式ホワイトバランスフィルター。
【発明の詳細な説明】
【技術分野】
【０００１】
本発明は一種のスリーブ指向式ホワイトバランスフィルターに係り、特に一種の、外筒体と該外筒体内に設けられて軸方向移動調整可能なホワイトバランス部品を包含し、該ホワイトバランス部品の該外筒体内の深さ位置を調整することにより、該ホワイトバランス部品にビュー範囲内の色光のみを受け取らせて正確なホワイトバランス数値を獲得するか、或いはビュー範囲外の色光（色温度）を同時に受け取らせて、ホワイトバランス部品が受け取る外部色温度の状態の微調整を達成し、これにより微調整機能により主光源色温度比率を微調整して見た目と個人の視覚の好みにあった色温度値を得られるものに関する。
【背景技術】
【０００２】
現在の平板式ホワイトバランスフィルター（７）及びフィルター（６１）を具えたホワイトバランスレンズカバー（６）の使用方式は、図１３、図１４及び図１５に示されるようであり、撮影エリアに対してそれらをカメラ（２）のレンズ（２１）前に設置し、さらにシャッターを押して手動ホワイトバランスを行ない、撮影現場のホワイトバランス平均値を求め、この値を撮影の単一色温度値として、撮影作業を行なう。
【０００３】
白色は一切の色の基本であり、赤（ＲＥＤ）、青（ＢＬＵＥ）、緑（ＧＲＥＥＮ）を組み合わせてなり、三原色の色値が相互におなじであるとき、すなわち、Ｒ＝Ｂ＝Ｇのとき、白色が正確に人類の視覚に表示され、白色校正或いは表示が正確であれば、写真、映像のその他の全ての色も正確に人の視覚に表示される。
【０００４】
カメラ（２）の手動ホワイトバランスの目的は、正確に撮影現場の平均色温度値を取得することにあり、それは撮影の色温度標準値とされてその作品上に正確な色彩を表現し、大幅に事後のソフトウエアによる不正確な色温度値の作品の修正を減らす。色温度値が不正確な写真、映像の色彩は撮影現場と不一致であると、人類の高精密視覚システムは簡単にその中の差異を見分け、色彩表現が不正確である撮影作品は、全ての人にとって失敗策となる。
【０００５】
写真、映像或いは現場のビデオ信号が伝送する各一つのフレームはいずれも単一色温度を色彩の根拠として人類の視覚において表現され、色温度に僅かな変化があるか或いは不正確であると、人類の視覚は即刻フレーム上の色彩の変化を感知し、ゆえに撮影を行なうのに撮影現場の正確な色温度値を得ることは、作品の出来を決定する最も重要な作業の一つである。
【０００６】
しかし、外置きホワイトバランスフィルター（７）、ホワイトバランスレンズカバー（６）を利用して手動ホワイトバランス動作を行なうと、却って撮影現場の正確な色温度値と色彩を取得できない。その原因は、外置きホワイトバランスフィルター（７）、ホワイトバランスレンズカバーの全体設計不良にあり、撮影現場にあって、カメラ外の全ての光線と色はすべて選択の余地なくフィルターに投射されて組み合わされるため、不正確な平均色温度値となる。
【０００７】
実質物体上の各一種類の色は各一種類の光源の下で独特の色温度値を有し、撮影ときにその方向を回転する毎に、その撮影構図の包括範囲の構成色比はそれぞれ異なり、各一つの撮影構造の平均色温度値もそれぞれ異なり、ゆえに、撮影構図の範囲に対してのみ正確なホワイトバランス平均数値を得られる。
【０００８】
屋外の例では、カメラ（２）の取像はレンズ（２１）の焦点距離の視角と距離に基づき、構図取景撮影は、その範囲性を有している。しかし、平板ホワイトバランスフィルター（７）、ホワイトバランスレンズカバー（６）は却って撮影構図範囲以外の不必要な光線、たとえば、陽光、空の青光の白雲の反射を平板ホワイトバランスフィルター（７）、ホワイトバランスレンズカバー（６）のフィルター（６１）に取り込むため、不正確な構図範囲の不正確な平均色温度値を形成し、このため手動ホワイトバランス演算のカメラ（２）はその撮像範囲内の不正確な色温度値を以て撮影動作を行なうことになり、その撮影した写真、映像の色温度色彩表現はおのずと色の偏り現象を有することになる。
【０００９】
屋内で撮影するときは、屋内或いは屋外の主体光源、環境反射光線と色は四方八方からホワイトバランスフィルター（７）或いはホワイトバランスレンズカバー（６）のフィルター（６１）に投射され、ホワイトバランスフィルター（７）或いはホワイトバランスレンズカバー（６）のフィルター（６１）本体組織の透光構造をとおり、色温度検出範囲に進入する。こうして、手動ホワイトバランスシステムは不正確なホワイトバランス平均数値を得ることになり、写真色彩のひずみの現象を形成する。一般撮影用途のほか、物品の正確な色を取得することは、ある種の科学研究、色彩管理、有版印刷或いは記録において非常に重要であり、このため異なる光源環境或いは地点にあって物品の標準色を獲得して色彩比較校正により一致性を取得する。
【発明の概要】
【発明が解決しようとする課題】
【００１０】
これにより、いかに簡単に、スピーディーに及びローコストで正確なホワイトバランス平均数値を得るかが、本発明の主要な目的である。
【課題を解決するための手段】
【００１１】
本発明は、外筒体と外筒体内に設けられて軸方向移動調整可能なホワイトバランス部品を具え、該外筒体は不透光材料で形成されて直接レンズに嵌合されるか、嵌め歯と嵌め溝でレンズ前方に組み合わされ、該ホワイトバランス部品は乳白色或いは灰色フィルターで、フィルタ周縁に乳白色或いは灰色の環縁部が延伸され、該ホワイトバランス部品は前述の外筒体内に進入可能で並びに外筒体内で軸方向の移動調整でき、ホワイトバランス部品がそのフィルターを環縁部も含め完全に外筒体内に進入させるとき、ホワイトバランス部品のフィルターはビューウインドウから見えるビューの範囲内の色光のみを受け取り、正確なホワイトバランス数値を得て、且つホワイトバランス部品の位置が外筒体内の孔口に近づくほど、その受け取る外部の色光量は多くなり、並びに前述の漸次変化を発生し、ホワイトバランス部品が軸方向に外筒体内で孔口に近づき並びにその延伸された環縁部が外筒体内孔口より外に露出するとき、フィルターはビューウインドウのビュー以外の周囲の色光も受け取り、並びにその受け取る色光は導光作用によりフィルターに送られ、これによりフィルターに進入する外部環境光源色温度を変化させ、これにより正確なホワイトバランス数値を得るか微調整方式で異なる色温度値を得る目的を達成する。
【００１２】
本発明は、外筒体が直接レンズに嵌合されることにより、ホワイトバランスフィルターが不透光の外筒体の内に置かれ、スリーブの遮蔽作用により、ホワイトバランスフィルターが手動でホワイトバランスさせられるとき、不必要な強烈光線或いは反射光が直接ホワイトバランスフィルターに商社されるのを防止でき、カメラの手動ホワイトバランスシステムに、撮影エリアのより正確なホワイトバランス平均値を取得させることができる。
【００１３】
本発明はまた、高精度のホワイトバランスフィルターにより、遠距離から正確に色温度値を測定して、色彩バランスと色彩密度を調整でき、ＪＰＧ或いはＲＡＷファイルの色温度値に対して一度で完全に設定でき、後で調整する必要がなく、即刻色彩が完全な写真をアップロードしてシェアできる。
【００１４】
本発明はさらにまた、外筒体の設計により、使用に便利で、手動ホワイトバランス時に、レンズにかぶせて使用するだけでよく、撮影範囲以外の強光と色により色温度測定が不正確となる現象を防止できる。
【図面の簡単な説明】
【００１５】
【図１】本発明の実施例の立体分解図である。
【図２】本発明とカメラの結合時の実施例の立体組み合わせ図である。
【図３】本発明のフィルターの外筒体内孔において軸方向に移動調整する実施例の断面図である。
【図４】本発明の外筒体とカメラのレンズそれぞれに、相互に係合接続される嵌め歯と嵌め溝が設けられた実施例の立体分解図である。
【図５】本発明の外筒体内にフィルターが設けられた実施例の断面図である。
【図６】本発明のホワイトバランス部品が収縮可能な外筒体前端に組み合わされる実施例の立体分解図である。
【図７】本発明のホワイトバランス部品が収縮可能な外筒体前端に組み合わされる実施例の立体図である。
【図８】本発明のホワイトバランス部品が収縮可能な外筒体前端に組み合わされて外筒体が収縮した後の断面図である。
【図９】本発明がスマートフォンに使用された実施例の立体図である。
【図１０】本発明がタブレットＰＣに使用された実施例の立体図である。
【図１１】本発明のホワイトバランス部品がカメラボデーに挿入された分離式ホワイトバランス色温度測定装置前方に組み合わされた実施例の立体図である。
【図１２】本発明のホワイトバランス部品が分離式ホワイトバランス色温度測定装置内に設けられた無線回路により正確なホワイトバランス（色温度）数値をカメラ或いはスマートフォンに伝送する実施例の立体図である。
【図１３】周知のホワイトバランス製品とカメラの使用時の立体分解図である。
【図１４】図１３に示される周知のホワイトバランス製品とカメラの使用時の立体組み合わせ図である。
【図１５】もう一種の周知のホワイトバランス製品とカメラの使用時の実施例図である。
【発明を実施するための形態】
【００１６】
図１、図２及び図３を参照されたい。本発明のスリーブ指向式ホワイトバランスフィルターは、そのうちホワイトバランスユニット（１）が、外筒体（１１）と該外筒体（１１）内に設けられて軸方向に移動調整可能なホワイトバランス部品を具え、該外筒体（１１）は不透光材料で形成され、それは直接、カメラ（２）のレンズ（２１）に嵌合されるか、嵌め歯（１１３）により、レンズ（２１）の前端の嵌め溝（２１１）に嵌合されて、レンズ（２１）前方に組み合わされる。該ホワイトバランス部品は乳白色或いは灰色フィルター（１２）で、フィルター（１２）の周縁に乳白色或いは灰色の環縁部（１２１）が延伸され、該ホワイトバランス部品は前述の外筒体（１１）の内孔（１１１）に進入可能で並びに外筒体（１１）の内孔（１１１）内で軸方向の移動調整でき、ホワイトバランス部品が押動されてそのフィルター（１２）が環縁部（１２１）も含め完全に外筒体（１１）の内孔（１１１）に進入させられるとき、ホワイトバランス部品のフィルター（１２）は、外筒体（１１）の内に置かれ、外筒体（１１）の遮蔽作用により、ホワイトバランス部品のフィルター（１２）が手動ホワイトバランス時に、不必要な強烈な光線或いは反射光が直接フィルター（１２）に照射されるのを防止でき、カメラ（２）の手動ホワイトバランスシステムに、撮影エリアのさらに正確なホワイトバランス平均値を取得させ、並びにフィルター（１２）の中央に、ターゲット式六星剣頭状の突出物が設けられ、レンズ（２１）のフォーカス動作（図示せず）を助けるのに用いられ、かつホワイトバランス部品のフィルター（１２）が外筒体（１１）の内孔（１１１）口に近づくほど、その受け取る外部の色光量は多くなり、並びに漸次変化を発生し、ホワイトバランス部品が軸方向に押動されて外筒体（１１）の内孔（１１１）口に至り、並びにその延伸された環縁部（１２１）が外筒体（１１）の内孔（１１１）口外に露出させられるとき、このとき、フィルター（１２）が受け取る外部環境色光量が増加するほか、その外筒体（１１）内孔（１１１）口外に露出する環縁部（１２１）もまたウインドウビュー以外の周囲の色光も受け取り、並びにその受け取る色光は導光作用によりフィルター（１２）に伝えられ、これにより、フィルター（１２）の外部環境光源色温度を変化させ、これにより異なる色温度値に微調整する目的を達成する。フィルター（１２）後方及び外筒体（１１）内孔（１１１）口部分に、それぞれ対応するストッパ縁（１２２）（１１２）が設けられ、フィルター（１２）が滑り落ちにくくされている。また、外筒体（１１）内孔（１１１）には僅かに乳白色或いは灰色フィルター（１２）が設けられ、フィルター（１２）は僅かにウインドウから見えるビュー範囲内の色光のみ受け取るものとされ、これにより、正確なホワイトバランス数値を得られる（図５に示されるとおり）。
【００１７】
次に図６、図７及び図８を参照されたい。それは本発明のホワイトバランス部品を収縮可能な外筒体（１３）前端に組み合わせる実施例を示す。そのうち、収縮可能な外筒体（１３）は、少なくとも一つの内径が漸次縮小する嵌合スリーブ（１３１）が相互に嵌合されてなり、乳白色或いは灰色で且つ環縁部（１２１）を具えたフィルター（１２）は、収縮可能な外筒体（１３）の前端に組み合わされ、これにより、フィルター（１２）と収縮可能な外筒体（１３）は収縮或いは引き伸ばし可能とされ、収納携帯に便利とされ、各一つの嵌合スリーブ（１３１）の内孔前後縁及びフィルター（１２）の前後端外縁に、いずれもストッパ縁（１３２）（１３３）（１２２）（１２３）が設けられ、相互に係止して脱落しないものとされている。
【００１８】
さらに、図９及び図１０を参照されたい。それは本発明の、スマートフォン及びタブレットＰＣに使用される実施例を示す。それは本発明の外筒体（１１）及び環縁部（１２１）を具えたフィルター（１２）で構成されるホワイトバランスユニット（１）が、スマートフォン（３）及びタブレットＰＣ（４）のレンズ（３１）（４１）前に置かれ、スマートフォン（３）及びタブレットＰＣ（４）が撮影するときに、ホワイトバランス部品のフィルター（１２）により手動でホワイトバランスを行なうとき、不必要な強烈光線或いは反射光が直接フィルター（１２）に照射するのを防止でき、カメラ（２）の手動ホワイトバランスシステムに撮影エリアのより正確なホワイトバランス平均値を取得させられ、該ホワイトバランスユニット（１）は固定部品（５）によりスマートフォン（３）及びタブレットＰＣ（４）のレンズ（３１）（４１）前に固定される。
【００１９】
また図１１を参照されたい。それは本発明を分離式ホワイトバランス色温度測定装置（８）に運用した実施例を示し、該分離式ホワイトバランス色温度測定装置（８）は、ケーシング内に色温度検出部品（８１）が設けられ、並びにケーシング上に電源及び信号伝送用のピン（８１１）が設けられ、ピン（８１１）によりカメラ（２）のボデー（２２）或いはレンズ（２１）、及び、カメラ、スマートフォン（３）及びタブレットＰＣ（４）のピン孔（２２１）に挿入、組み合わされ、本発明は外筒体（１１）及び環縁部（１２１）を具えたフィルター（１２）で構成されたホワイトバランスユニット（１）が、該分離式ホワイトバランス色温度測定装置（８）の前方に置かれ、撮影時にホワイトバランス部品のフィルター（１２）により手動ホワイトバランスをおこなう時、不必要な強烈光線或いは反射光が直接フィルター（１２）に照射するのを防止でき、並びに色温度検出部品（８１）により、該色温度を受け取り、カメラ（２）の手動ホワイトバランスシステムが、正確なホワイトバランス平均値を測定できるようにする。
【００２０】
さらに、該分離式ホワイトバランス色温度測定装置（８）内には無線回路（８２）及び電池（８３）が設けられ、それはスタンド（８４）により現場に架設され、並びに無線で正確なホワイトバランス（色温度）数値がカメラ（２）、カメラ、スマートフォン（３）及びタブレットＰＣ（４）のメインプロセッサ（ＣＰＵ）内に送られ、その取得した色温度値がホワイトバランス演算処理され、これにより正確なホワイトバランス（色温度）数値が得られる（図１２に示されるとおり）。
【００２１】
総合すると、本発明は不透光の外筒体により撮影フィールド以外の色を隔離し、また、その実体壁体をホワイトバランスのフィルターに接続して透光体導光原理により間接的に主光源色温度光量比重をアップし、色温度平均値を高く、或いは低く調整する効果を得て、色彩をより人類視覚と個人の好みに接近するものとする。
【符号の説明】
【００２２】
（１）ホワイトバランスユニット
（１１）外筒体
（１１１）内孔
（１１２）（１２２）（１２３）（１３２）（１３３）ストッパ縁
（１１３）嵌め歯
（１２）フィルター
（１２１）環縁部
（１３）収縮可能な外筒体
（１３１）スリーブ
（２）カメラ
（２１）（３１）（４１）レンズ
（２１１）嵌め溝
（２２）ボデー
（２２１）ピン孔
（３）スマートフォン
（４）タブレットＰＣ
（５）固定部品
（６）ホワイトバランスレンズカバー
（６１）フィルター
（７）ホワイトバランスフィルター
（８）分離式ホワイトバランス色温度測定装置
（８１）色温度検出部品
（８１１）ピン
（８２）無線回路
（８３）電池
（８４）スタンド
【図１】
0006263640.tif 000002
【図２】
0006263640.tif 000003
【図３】
0006263640.tif 000004
【図４】
0006263640.tif 000005
【図５】
0006263640.tif 000006
【図６】
0006263640.tif 000007
【図７】
0006263640.tif 000008
【図８】
0006263640.tif 000009
【図９】
0006263640.tif 000010
【図１０】
0006263640.tif 000011
【図１１】
0006263640.tif 000012
【図１２】
0006263640.tif 000013
【図１３】
0006263640.tif 000014
【図１４】
0006263640.tif 000015
【図１５】
0006263640.tif 000016